(57)【要約】【課題】カバーの中央部が浮き上がった状態で電気接続箱主体部に装着されることなく防水対策が行われた電気接続箱におけるカバーのロック構造を提供する。【解決手段】電気接続箱１におけるカバー５０のロック構造であって、カバー５０の中央側かつ内面側に係合部５７Ａ，５７Ｂが設けられ、係合部５７Ａ，５７Ｂに対応した被係合部６７，７７が電気接続箱主体部３の内部３ｈに設けられ、係合部５７Ａ，５７Ｂと、被係合部６７，７７とが係り合わせられた。前記係合部５７Ａ，５７Ｂは、可撓性アーム部５７ｋを備えるものとされ、前記被係合部６７，７７は、前記電気接続箱主体部３を構成するコネクタ６５，７５の裏側に設けられた穴部６７ｎ，７７ｎを備えるものとされた。他方の対辺側縁部５１ｐ，５１ｑから、前記電気接続箱主体部３内に水が浸入されることを防止するリブ５３ａ，５３ｂが、他方の対辺側縁部５１ｐ，５１ｑに設けられた。【選択図】図５
2005137118.tif 000002
【特許請求の範囲】
【請求項１】
電気接続箱におけるカバーのロック構造であって、カバーの中央側かつ内面側に係合部が設けられ、該係合部に対応した被係合部が電気接続箱主体部の内部に設けられ、該係合部と、該被係合部とが係り合わせられることを特徴とする電気接続箱におけるカバーのロック構造。
【請求項２】
平面視略矩形をした前記カバーの一方の対辺側縁部に、平面視略矩形箱状をした前記電気接続箱主体部の対辺側縁部のロック係止部に係り合わせられるロック部が設けられ、該カバーの他方の対辺側縁部近傍に、前記係合部が設けられたことを特徴とする請求項１記載の電気接続箱におけるカバーのロック構造。
【請求項３】
前記係合部は、可撓性アーム部を備えるものとして形成され、前記被係合部は、前記電気接続箱主体部を構成するコネクタの裏側に設けられた穴部を備えるものとされたことを特徴とする請求項１又は２記載の電気接続箱におけるカバーのロック構造。
【請求項４】
前記カバーが前記電気接続箱主体部に取り付けられて、該カバーおよび該電気接続箱主体部が正規の姿勢の状態とされたときに、前記係合部の上方および側方を囲むリブが、該係合部の周辺近傍に設けられたことを特徴とする請求項１〜３の何れか１項に記載の電気接続箱におけるカバーのロック構造。
【請求項５】
前記他方の対辺側縁部から、前記電気接続箱主体部内に水が浸入されることを防止するリブが、該他方の対辺側縁部に設けられたことを特徴とする請求項２〜４の何れか１項に記載の電気接続箱におけるカバーのロック構造。
【発明の詳細な説明】
【技術分野】
【０００１】
本発明は、自動車などに装着される電気接続箱をコンパクト化させるための電気接続箱におけるカバーのロック構造に関するものである。
【背景技術】
【０００２】
近年、自動車部品組立メーカなどから電気接続箱のコンパクト化が要求され、電気接続箱の小型化、薄型化が図られている。ケース内に各種電子部品が収容された電気接続箱主体部は、薄型化される傾向にあり、また、このような電気接続箱主体部に装着されるカバーも薄型化されつつある。
【発明の開示】
【発明が解決しようとする課題】
【０００３】
しかしながら、薄型化された電気接続箱のカバーは、略平板状に形成されることとなり、カバー自身の剛性が不足する。このようなカバーが電気接続箱主体部に装着された場合、カバー自身の剛性が不足することから、カバーの中央部が浮き上がった状態で、カバーは、電気接続箱主体部に装着されることがあった。また、カバーの設計仕様などによっては、カバーがめくれ上がった状態で電気接続箱主体部に装着されることもあった。
【０００４】
このようなカバーを備える電気接続箱が組み立てられた場合、例えば電気接続箱の外観検査において、電気接続箱主体部に確実にカバーが装着されていないものと判断されることや、電気接続箱主体部とカバーとの間に異物が挟みこまれた状態で電気接続箱が組み立てられているものと判断されることがあった。このように判断された電気接続箱は、製品として出荷されることなく再検査などが行われ、結果として電気接続箱の組立工程における歩留りが低下するといったことが懸念されていた。
【０００５】
また、略平面状に形成されたカバーに、電気接続箱主体部内に水が浸入されることを防止するための防水性を満足させることが要求されてきた。
【０００６】
本発明は、上記した点に鑑み、カバーの中央部が浮き上がった状態で電気接続箱主体部に装着されることなく防水対策が行われた電気接続箱におけるカバーのロック構造を提供することを目的とする。
【課題を解決するための手段】
【０００７】
上記目的を達成するために、本発明の請求項１に係る電気接続箱におけるカバーのロック構造は、カバーの中央側かつ内面側に係合部が設けられ、該係合部に対応した被係合部が電気接続箱主体部の内部に設けられ、該係合部と、該被係合部とが係り合わせられることを特徴とする。
【０００８】
上記構成により、カバーの中央側かつ内面側に設けられた係合部と、電気接続箱主体部の内部に設けられた被係合部とが係り合わせられるから、電気接続箱主体部に対するカバーの中央部の浮き上がりは、防止されることとなる。カバーが電気接続箱主体部に装着されても、電気接続箱主体部に対し、カバーの中央部が浮き上がるということは、未然に防止されることとなる。
【０００９】
請求項２に係る電気接続箱におけるカバーのロック構造は、請求項１記載の電気接続箱におけるカバーのロック構造において、平面視略矩形をした前記カバーの一方の対辺側縁部に、平面視略矩形箱状をした前記電気接続箱主体部の対辺側縁部のロック係止部に係り合わせられるロック部が設けられ、該カバーの他方の対辺側縁部近傍に、前記係合部が設けられたことを特徴とする。
【００１０】
上記構成により、平面視略矩形をしたカバーの一方の対辺側縁部のロック部と、平面視略矩形箱状をした電気接続箱主体部の対辺側縁部のロック係止部とが係り合わせられ、さらにカバーの中央側かつ内面側に設けられた係合部と、電気接続箱主体部の内部に設けられた被係合部とが係り合わせられるから、電気接続箱主体部に対するカバーの中央部の浮き上がりは、確実に防止される。また、電気接続箱主体部に対し、カバーがめくれ上がるということは、防止される。
【００１１】
請求項３に係る電気接続箱におけるカバーのロック構造は、請求項１又は２記載の電気接続箱におけるカバーのロック構造において、前記係合部は、可撓性アーム部を備えるものとして形成され、前記被係合部は、前記電気接続箱主体部を構成するコネクタの裏側に設けられた穴部を備えるものとされたことを特徴とする。
【００１２】
上記構成により、カバーに設けられた可撓性アーム部を備える係合部が、電気接続箱主体部を構成するコネクタの裏側に穴部を備えるものとして設けられた被係合部に合わせられるから、電気接続箱主体部に対するカバーの着脱作業は、行われ易くなる。また、これにより、カバーは電気接続箱主体部に確実に取り付けられ、電気接続箱主体部に対し、カバーがめくれ上がるということは、より防止されることとなる。
【００１３】
請求項４に係る電気接続箱におけるカバーのロック構造は、請求項１〜３の何れか１項に記載の電気接続箱におけるカバーのロック構造において、前記カバーが前記電気接続箱主体部に取り付けられて、該カバーおよび該電気接続箱主体部が正規の姿勢の状態とされたときに、前記係合部の上方および側方を囲むリブが、該係合部の周辺近傍に設けられたことを特徴とする。
【００１４】
上記構成により、電気接続箱主体部に装着されたカバーの上方から、水滴がカバーの係合部内に入ってさらに電気接続箱主体部に浸入し、水滴により、電気接続箱主体部を構成する各部品に不具合が生じるということは、防止されることとなる。
【００１５】
請求項５に係る電気接続箱におけるカバーのロック構造は、請求項２〜４の何れか１項に記載の電気接続箱におけるカバーのロック構造において、前記他方の対辺側縁部から、前記電気接続箱主体部内に水が浸入されることを防止するリブが、該他方の対辺側縁部に設けられたことを特徴とする。
【００１６】
上記構成により、電気接続箱が被水されたときに、カバーの他方の対辺側縁部に設けられたリブにより、電気接続箱主体部の内部に水が浸入するということは、抑えられる。
【発明の効果】
【００１７】
以上の如く、請求項１記載の発明によれば、カバーの中央側かつ内面側に設けられた係合部と、電気接続箱主体部の内部に設けられた被係合部とが係り合わせられるから、電気接続箱主体部に対するカバーの中央部の浮き上がり発生を防止させることができる。
【００１８】
請求項２記載の発明によれば、電気接続箱主体部に対するカバーの中央部の浮き上がり発生を確実に防止させることができる。また、電気接続箱主体部に対し、カバーがめくれ上がるということを、防止させることができる。
【００１９】
請求項３記載の発明によれば、電気接続箱主体部に対するカバーの着脱作業を行わせ易くさせることができる。また、これにより、カバーを電気接続箱主体部に確実に取り付けることができ、電気接続箱主体部に対し、カバーがめくれ上がるということを、より防止させることができる。
【００２０】
請求項４記載の発明によれば、電気接続箱主体部に装着されたカバーの上方から、水滴がカバーの係合部内に入ってさらに電気接続箱主体部に浸入し、水滴により、電気接続箱主体部を構成する各部品に不具合が生じるということを、防止させることができる。
【００２１】
請求項５記載の発明によれば、電気接続箱が被水されたときに、カバーの他方の対辺側縁部に設けられたリブにより、電気接続箱主体部の内部への水の浸入を抑えることができる。
【発明を実施するための最良の形態】
【００２２】
以下に本発明に係る電気接続箱におけるカバーのロック構造の一実施形態を図面に基づいて詳細に説明する。
【００２３】
図１は、カバーを示す斜視図、図２は、図１のＡ−Ａ断面図、図３は、電気接続箱主体部を示す平面図、図４は、本発明に係る電気接続箱におけるカバーのロック構造の一実施形態を示す平面図、図５は、図４のＢ−Ｂ断面図、図６は、電気接続箱を示す分解斜視図である。
【００２４】
カバー５０（図１，図４）を用いて電気接続箱主体部３（図３）および電気接続箱１（図４）の各方向について説明すると、カバー５０（図１，図４）を構成する一方の側板部５２ｍ側を上側とし、カバー５０を構成する他方の側板部５２ｎ側を下側とする。なお、この明細書における「上下」の定義は、明細書を説明するための便宜上のものとされる。例えば図６は、電気接続箱１および電気接続箱主体部３が組み上げられるときの組立工程の一例に基づいて描かれている。
【００２５】
図６の如く、電気接続箱主体部３は、合成樹脂製のインナカバー８０と、インナカバー８０に装着される電子制御回路基板４０と、電子制御回路基板４０を覆う合成樹脂製の基板カバー２０と、この基板カバー２０に挿着される電子回路板３０と、電子回路板３０の基板部３１を覆う合成樹脂製の小型カバー１０と、インナカバー８０に装着されるパワーブロック１００と、外部のものから各ヒューズ１２０を保護するため各ヒューズ１２０が装着されたパワーブロック１００に取り付けられる合成樹脂製のヒューズカバー１１０と、インナカバー８０にスライドされて係合固定される各コネクタブロック６０，７０と、両コネクタブロック６０，７０の間でインナカバー８０上に配索される複数のバスバー９０と、両コネクタブロック６０，７０の間でインナカバー８０に積層され、各コネクタブロック６０，７０や、パワーブロック１００や、各バスバー９０に接続される布線板１３０もしくは配線モジュール１４０とを備えるものとして構成されている。
【００２６】
インナカバー８０の基板部８１に、複数のバスバー９０が配索される。また、布線板１３０は、複数の電線（図示せず）を備えるものとして構成される。各バスバー９０は、布線板１３０の前記電線に接続される。また、布線板１３０に配線モジュール１４０が装着される。また、各バスバー９０は、電子制御回路基板４０に装備されたコネクタ４８に接続される。
【００２７】
図５および図６の如く、電子制御回路基板４０には、これの回路導体（図示せず）に半田付けされたＰＣＢ用コネクタ４５も装備されている。「ＰＣＢ」は、「Printed Circuit Board 」の略称とされる。また、電子制御回路基板４０には、各種電子部品４３（図６）が装備され、電子制御回路基板４０は、ＥＣＵを備えるものとされている。「ＥＣＵ」は、電子制御装置を意味し、「Electronic Control Unit 」の略称とされる。図５の如く、電子制御回路基板４０いわゆる電子ユニット４０は、ねじ２００などの止具２００が用いられてインナカバー８０に取り付けられる。
【００２８】
また、電子回路板３０（図５，図６）の配線基板３１上に、コンデンサ、抵抗、ダイオード、ＩＣなどの各種電子部品（図示せず）が装備される。電子回路板３０もＥＣＵを備えるものとされている。電子回路板３０のＥＣＵは、ゲートウエイＥＣＵとされている。ゲートウエイとは、局部的に閉じた通信網と、その外部の網を接続する接続箇所を意味する。詳しく説明すると、ゲートウエイとは、異なるネットワークアーキテクチャをもつ二つの計算機ネットワークを相互に接続する機能単位を意味するものとされている。
【００２９】
配線モジュール１４０は、配線基板部材１５０と、この配線基板部材１５０に重ねられる他の配線基板部材１６０と、前記配線基板部材１５０と前記他の配線基板部材１６０との間に介在される絶縁シート１７０とを備えるものとして構成されている。モジュールとは、装置、機械、システムを構成するものとされ、機能的にまとまったものを意味する。絶縁シート１７０は、配線基板部材１５０（図３，図６）に備えられる硬銅線１５５（図３）と、他の配線基板部材１６０（図３，図６）に備えられる硬銅線１６５（図３）とを絶縁する働きをする。これらのものがインナカバー８０に装着される。
【００３０】
コネクタブロック６０，７０や配線モジュール１４０などを覆う合成樹脂製のアウタカバー５０（図１，図２，図６）が、前記電気接続箱主体部３（図３）に装着されることで、電気接続箱１が組み立てられる（図４，図５）。このようにして、電気接続箱１におけるカバー５０のロック構造が構成される。図６の如く、電気接続箱１を構成する箱体５は、前記インナカバー８０と、インナカバー８０に装着される前記基板カバー２０と、インナカバー８０に装着される前記アウタカバー５０とを備えるものとされている。
【００３１】
図１，図２の如く、略平面状のアウタカバー５０の中央部５５側かつ内面部５１ａ側に、複数の係合部５７Ａ，５７Ｂが設けられている。前記係合部５７Ａ，５７Ｂに対応して、図３，図５，図６の如く、各被係合部６７，７７が電気接続箱主体部３の内部３ｈ（図３，図５）に設けられている。図３，図５，図６に示す如く、一方の被係合部６７は、電気接続箱主体部３を構成する一方のコネクタブロック６０のコネクタハウジング６６の背面部６６ｂに設けられている。また、他方の被係合部７７は、電気接続箱主体部３を構成する他方のコネクタブロック７０のコネクタハウジング７６の背面部７６ｂに設けられている。アウタカバー５０（図１，図２，図４）に設けられた各係合部５７Ａ，５７Ｂと、電気接続箱主体部３（図３）に設けられた各被係合部６７，７７（図３，図６）とが係り合わせられる（図５）。
【００３２】
略平面状のアウタカバー５０（図１）の中央部５５側かつ内面部５１ａ（図２）側に設けられた係合部５７Ａ，５７Ｂと、コンパクト化された電気接続箱主体部３（図３，図５）の内部３ｈに設けられた被係合部６７，７７（図３，図６）とが係り合わせられるから、図５の如く、電気接続箱主体部３に対するアウタカバー５０の中央部５５の浮き上がり発生を防止させることができる。また、このような電気接続箱１におけるカバー５０のロック構造が構成されていれば、大きい略平面状のアウタカバー５０（図１，図６）が電気接続箱主体部３（図３）に装着されても（図４）、電気接続箱主体部３（図５）に対し、アウタカバー５０の中央部５５が浮き上がるということは、未然に防止されることとなる。
【００３３】
図１の如く、アウタカバー５０は、基板部５１と、基板部５１に略直交する側板部５２ｍ，５２ｎとを備えるものとして構成されている。図１および図２の如く、アウタカバー５０の基板部５１の内側に向けて突設された係合部５７Ａ，５７Ｂは、基板部５１から立ち上がる根元部５７ｊと、根元部５７ｊから延びる可撓性アーム部５７ｋと、可撓性アーム部５７ｋの先端部５７ｍに設けられた係合突起部５７ｎとを備えるものとして形成されている。係合突起部５７ｎは、傾斜摺接面５７ｐと、係合面５７ｑとを備えるものとして形成されている。
【００３４】
一方のコネクタブロック６０（図３，図６）に設けられた被係合部６７は、アウタカバー５０（図１，図２）の一方の係合部５７Ａを構成する係合突起部５７ｎの傾斜摺接面５７ｐに対応した傾斜摺接面６７ｐ（図５，図６）と、係合突起部５７ｎ（図１，図２）の係合面５７ｑに対応した被係合面６７ｑ（図５）とを備えるものとして形成されている。また、他方のコネクタブロック７０（図３，図６）に設けられた被係合部７７は、アウタカバー５０（図１，図２）の他方の係合部５７Ｂを構成する係合突起部５７ｎの傾斜摺接面５７ｐに対応した傾斜摺接面７７ｐ（図５，図６）と、係合突起部５７ｎ（図１，図２）の係合面５７ｑに対応した被係合面７７ｑ（図５）とを備えるものとして形成されている。
【００３５】
アウタカバー５０（図１，図２，図６）が電気接続箱主体部３（図３）に装着されるときに、アウタカバー５０（図１，図２）に設けられた係合部５７Ａ，５７Ｂを構成する可撓性アーム部５７ｋが根元部５７ｊから撓ませられ、可撓性アーム部５７ｋの係合突起部５７ｎの傾斜摺接面５７ｐが、電気接続箱主体部３（図３，図６）に設けられた被係合部６７，７７の傾斜摺接面６７ｐ，７７ｐ（図５，図６）を乗り越える。
【００３６】
アウタカバー５０（図１，図２）の係合部５７Ａ，５７Ｂに設けられた係合面５７ｑと、コネクタブロック６０，７０（図３，図６）の被係合部６７，７７に設けられた被係合面６７ｑ，７７ｑ（図５）とが合わせられることで、アウタカバー５０の中央部５５は、電気接続箱主体部３に対して浮き上がることなく、コネクタブロック６０，７０を備える電気接続箱主体部３に確実に装着される。
【００３７】
平面視略矩形をしたアウタカバー５０（図１）の上側における一方の対辺側縁部５１ｍに、平面視略矩形箱状をした電気接続箱主体部３（図３）を構成するインナカバー８０の側板部８２の対辺側縁部３ｍのロック係止部８９Ｌに係り合わせられるロック係合部５９Ｌｍ（図１，図４，図６）が設けられている。アウタカバー５０の一方の対辺側縁部５１ｍ，５１ｎに略直交する方向に沿って形成された他方の対辺側縁部５１ｐの凹部５４ａ近傍に、前記一方の係合部５７Ａが設けられている。
【００３８】
また、平面視略矩形をしたアウタカバー５０（図１）の下側における一方の対辺側縁部５１ｎに、平面視略矩形箱状をした電気接続箱主体部３（図３）を構成するパワーブロック１００のハウジング１０６の対辺側縁部３ｎのロック係止部１０９Ｌに係り合わせられるロック係合部５９Ｌｎ（図１，図４，図６）が設けられている。アウタカバー５０の一方の対辺側縁部５１ｍ，５１ｎに略直交する方向に沿って形成された他方の対辺側縁部５１ｑの凹部５４ｂ近傍に、前記他方の係合部５７Ｂが設けられている。
【００３９】
平面視略矩形をしたアウタカバー５０（図１，図６）の一方の対辺側縁部５１ｍ，５１ｎの各ロック係合部５９Ｌｍ，５９Ｌｎと、平面視略矩形箱状をした電気接続箱主体部３（図３，図６）の前記対辺側縁部３ｍ，３ｎの各ロック係止部８９Ｌ，１０９Ｌとが係り合わせられ（図４）、さらに、アウタカバー５０（図１，図２，図６）の略中央部５５かつ内面部５１ａ側に設けられた各係合部５７Ａ，５７Ｂと、電気接続箱主体部３（図３，図５）の内部３ｈに設けられた各被係合部６７，７７とが係り合わせられるから、図４および図５の如く、電気接続箱主体部３に対するアウタカバー５０の中央部５５の浮き上がり発生を確実に防止させることができる。また、電気接続箱主体部３に対し、略平面状のアウタカバー５０がめくれ上がるということを、防止させることができる。
【００４０】
アウタカバー５０（図１，図２，図６）が電気接続箱主体部３（図３）に装着されるときに、アウタカバー５０（図１，図２）の上側のロック係合部５９Ｌｍ（図１）の端部５９ｒが、電気接続箱主体部３（図３，図６）を構成するインナカバー８０のロック係止部８９Ｌを乗り越える。また、アウタカバー５０（図１，図２）の下側のロック係合部５９Ｌｎの端部５９ｒ（図２）が、電気接続箱主体部３（図３，図６）を構成するパワーブロック１００のロック係止部１０９Ｌを乗り越える。
【００４１】
アウタカバー５０（図１，図２）の各ロック係合部５９Ｌｍ，５９Ｌｎの係合面５９ｑ（図２）と、電気接続箱主体部３（図３，図６）の各ロック係止部８９Ｌ，１０９Ｌの係止面８９ｑ，１０９ｑ（図３）とが合わせられることで、アウタカバー５０のロック係合部５９Ｌｍ，５９Ｌｎと、電気接続箱主体部３のロック係止部８９Ｌ，１０９Ｌとが係り合わせられる（図４）。
【００４２】
図１および図２の如く、アウタカバー５０に設けられた係合部５７Ａ，５７Ｂは、係合突起部５７ｎおよび可撓性アーム部５７ｋを備えるものとして形成されている。図３，図５，図６の如く、電気接続箱主体部３に設けられた被係合部６７，７７は、電気接続箱主体部３を構成するコネクタ６５，７５のコネクタハウジング６６，７６の裏側面部６６ｂ，７６ｂに設けられた穴部６７ｎ，７７ｎを備えるものとされている。
【００４３】
アウタカバー５０（図１，図２）に設けられた可撓性アーム部５７ｋおよび係合突起部５７ｎを備える係合部５７Ａ，５７Ｂが、電気接続箱主体部３（図３，図５）を構成するコネクタ６５，７５のコネクタハウジング６６，７６の裏側面部６６ｂ，７６ｂに穴部６７ｎ，７７ｎ（図５，図６）を備えるものとして設けられた被係合部６７，７７に合わせられるから、電気接続箱主体部３に対する薄型化されたアウタカバー５０の着脱作業を行わせ易くさせることができる。また、これにより、アウタカバー５０を電気接続箱主体部３に確実に取り付けることができ、電気接続箱主体部３に対し、略平面状のアウタカバー５０がめくれ上がるということを、より防止させることができる。
【００４４】
アウタカバー５０（図１）が電気接続箱主体部３（図３）に取り付けられ、アウタカバー５０（図４）の一方の側板部５２ｍが上側とされて、アウタカバー５０および電気接続箱主体部３を備える電気接続箱１が正規の姿勢の状態とされたときに、係合部５７Ａ，５７Ｂを構成する可撓性アーム５７ｋの根元部５７ｊの上方および側方を囲むリブ５６が、アウタカバー５０の基板部５１の外面部５１ｂ側における係合部５７Ａ，５７Ｂの可撓性アーム部５７ｋの根元部５７ｊ周辺近傍に設けられている。
【００４５】
図１，図４の如く、前記リブ５６は、上方側の傾斜部５６ａと、この傾斜部５６ａに続く真直部５６ｂとを備え、一対の傾斜部５６ａの上端部５６ｅにおいて、一対の傾斜部５６ａが合わせられることで、アウタカバー５０の基板部５１に設けられた貫通孔５７ｓへの水滴の浸入は、防止される。前記リブ５６は、アウタカバー５０が平面視されたときに、略逆凹状をしたものとして形成されている。略逆凹状のリブ５６の略中心部５６ｃに、係合部５７Ａ，５７Ｂの可撓性アーム部５７ｋが設けられている。
【００４６】
このような形状のリブ５６がアウタカバー５０に設けられていれば、電気接続箱主体部３に装着されたアウタカバー５０の上方から、水滴（図示せず）がアウタカバー５０の係合部５７Ａ，５７Ｂの根元部５７ｊの貫通孔５７ｓ内に入り、さらに水滴が電気接続箱主体部３に浸入し、水滴により、電気接続箱主体部３を構成する各電子部品に不具合が生じるということを、防止させることができる。
【００４７】
図１および図２の如く、アウタカバー５０の係合部５７Ａ，５７Ｂの根元部５７ｊに貫通孔５７ｓが設けられている。電気接続箱主体部３（図４）からアウタカバー５０が取り外されるときに、治具棒などの治工具（図示せず）が、アウタカバー５０の係合部５７Ａ，５７Ｂの根元部５７ｊに設けられた貫通孔５７ｓに挿入される。貫通孔５７ｓに挿入された治工具により、アウタカバー５０に設けられた係合部５７Ａ，５７Ｂの可撓性アーム部５７ｋは、根元部５７ｊ（図１，図２）から撓まされる。
【００４８】
これにより、可撓性アーム部５７ｋの先端部５７ｍに設けられた係合突起部５７ｎは、コネクタ６５，７５（図３，図５，図６）のコネクタハウジング６６，７６の裏側面部６６ｂ，７６ｂに穴部６７ｎ，７７ｎを備えるものとして設けられた被係合部６７，７７から解除される。このようにして、電気接続箱主体部３の内部３ｈの被係合部６７，７７（図５）に係り合わせられたアウタカバー５０の係合部５７Ａ，５７Ｂが解除され、電気接続箱主体部３（図３）からアウタカバー５０（図１，図２，図６）が取り外される。
【００４９】
また、図１の如く、アウタカバー５０の一方の対辺側縁部５１ｍ，５１ｎに設けられたロック係合部５９Ｌｍ，５９Ｌｎは、貫通孔５９ｓ，５９ｔを備えるものとされている。アウタカバー５０の貫通孔５９ｓ，５９ｔ（図４）に、治具棒などの治工具（図示せず）が挿入され、係合面５９ｑが設けられた側板部５２ｍ，５２ｎが電気接続箱主体部３の外側に向けて撓まされることで、電気接続箱主体部３の対辺側縁部３ｍ，３ｎの各ロック係止部８９Ｌ，１０９Ｌと、アウタカバー５０の一方の対辺側縁部５１ｍ，５１ｎの各ロック係合部５９Ｌｍ，５９Ｌｎとのロック状態が解除され、電気接続箱主体部３（図３）からアウタカバー５０（図１，図２，図６）が取り外される。
【００５０】
アウタカバー５０（図１）を構成する基板部５１の他方の対辺側縁部５１ｐから、電気接続箱主体部３（図３〜図５）内に水が浸入されることを防止するリブ５３ａが、アウタカバー５０（図１）を構成する基板部５１の外面部５１ｂ側かつ他方の対辺側縁部５１ｐに設けられている。また、アウタカバー５０（図１）を構成する基板部５１の他方の対辺側縁部５１ｑから、電気接続箱主体部３（図３〜図５）内に水が浸入されることを防止するリブ５３ｂが、アウタカバー５０（図１）を構成する基板部５１の外面部５１ｂ側かつ他方の対辺側縁部５１ｑに設けられている。各リブ５３ａ，５３ｂは、アウタカバー５０を構成する基板部５１の中心部５５を両側から囲むように設けられている。また、各リブ５３ａ，５３ｂは、アウタカバー５０を構成する基板部５１の他方の対辺側縁部５１ｐ，５１ｑに沿って設けられている。
【００５１】
アウタカバー５０を構成する基板部５１の凹部５４ａにおける他方の対辺側縁部５１ｐに沿って、リブ５３ａが設けられている。一方のリブ５３ａは、上方側の真直部５３ｃと、この真直部５３ｃに続く上方側の傾斜部５３ｅと、この傾斜部５３ｅに続く真直部５３ｇとを備えるものとして形成されている。また、アウタカバー５０を構成する基板部５１の凹部５４ｂにおける他方の対辺側縁部５１ｑに沿って、リブ５３ｂが設けられている。他方のリブ５３ｂは、上方側の真直部５３ｄと、この真直部５３ｄに続く上方側の傾斜部５３ｆと、この傾斜部５３ｆに続く真直部５３ｈとを備えるものとして形成されている。
【００５２】
このような各リブ５３ａ，５３ｂがアウタカバー５０に設けられていれば、電気接続箱１（図４）が被水されたときに、アウタカバー５０の他方の対辺側縁部５１ｐ，５１ｑに設けられた各リブ５３ａ，５３ｂにより、電気接続箱主体部３の内部３ｈへの水の浸入を抑えることができる。また、各リブ５３ａ，５３ｂは、アウタカバー５０の反り発生を防止させ、アウタカバー５０の剛性を向上させる強化リブ５３ａ，５３ｂとしての働きもする。
【００５３】
電気接続箱は、ジャンクションボックスもしくはジャンクションブロック（Ｊ／Ｂ）、リレーブロック（Ｒ／Ｂ）、接続ユニット等を意味し、一般に、ジャンクションボックスもしくはジャンクションブロック（Ｊ／Ｂ）または接続ユニット等の内部に、電子制御装置（ＥＣＵ）が装備される。
【００５４】
以下に電気接続箱１の組立手順の一例について図６に基づいて説明する。
【００５５】
インナカバー８０の基板部８１に、複数のバスバー９０が配索される。また、ねじ２００（図５）等の止具２００が用いられて、電子ユニット４０がインナカバー８０に装着される。そのときに、電子ユニット４０に装備されたコネクタ４８（図６）と、各バスバー９０とが、通電可能に接続される。
【００５６】
一方のコネクタブロック６０のコネクタハウジング６６に設けられた断面略Ｔ字状のスライド掛止部６８が、インナカバー８０の側板部８２に設けられた断面略Ｔ溝状のスライド掛合部８８Ａに合わせられ、一方のコネクタブロック６０のコネクタハウジング６６に設けられた係止突起状の係止部６９が、インナカバー８０に設けられた係合部（図示せず）に係り合わせられることで、一方のコネクタブロック６０がインナカバー８０に装着固定される（図３）。
【００５７】
また、他方のコネクタブロック７０（図６）のコネクタハウジング７６に設けられた断面略Ｔ字状のスライド掛止部７８が、インナカバー８０の側板部８２に設けられた断面略Ｔ溝状のスライド掛合部８８Ｂに合わせられ、他方のコネクタブロック７０のコネクタハウジング７６に設けられた係止突起状の係止部７９が、インナカバー８０に設けられた係合部（図示せず）に係り合わせられることで、他方のコネクタブロック７０がインナカバー８０に装着固定される（図３）。
【００５８】
また、パワーブロック１００（図６）のハウジング１０６に設けられた断面略Ｔ字状のスライド掛止部１０８が、インナカバー８０に設けられた断面略Ｔ溝状のスライド掛合部８８Ｃに合わせられ、パワーブロック１００のハウジング１０６に設けられた係止突起状の係止部１０９が、インナカバー８０に設けられた係合部（図示せず）に係り合わせられることで、パワーブロック１００がインナカバー８０に装着固定される。
【００５９】
パワーブロック１００に所定のヒューズ１２０が装着されていることが確認された後に、パワーブロック１００にヒューズカバー１１０が装着される。パワーブロック１００に対するヒューズカバー１１０の装着作業は、電気接続箱１の組立工程の途中で行われてもよく、また、電気接続箱１が自動車部品組立メーカなどに出荷される前であってもよく、また、電気接続箱１の組立が行われる工程の最後に行われてもよい。
【００６０】
インナカバー８０の基板部８１上において、両コネクタブロック６０，７０の間に布線板１３０が装着される。各バスバー９０は、布線板１３０の電線（図示せず）に通電可能に接続される。また、布線板１３０の上に、予め組み立てられた上記配線モジュール１４０が装着され、各部と、配線モジュール１４０とが通電可能に接続される。
【００６１】
また、アウタカバー５０（図１，図６）に設けられた一方のロック係合部５９Ｌｍが、インナカバー８０（図３，図６）の側板部８２に設けられたロック係止部８９Ｌに係り合わせられる（図４，図６）。これと共に、アウタカバー５０（図１，図６）に設けられた他方のロック係合部５９Ｌｎが、パワーブロック１００（図３，図６）のハウジング１０６に設けられたロック係止部１０９Ｌに係り合わせられる（図４，図６）。また、アウタカバー５０（図１，図２，図６）の中央部５５側に設けられた一対の係合部５７Ａ，５７Ｂが、電気接続箱主体部３（図３，図５）の内部３ｈ側に設けられた一対の被係合部６７，７７に係り合わせられる。これにより、アウタカバー５０（図１，図２）は、インナカバー８０（図３）およびパワーブロック１００を備える電気接続箱主体部３に対し、浮き上がったり、はねあげられたりされることなく、電気接続箱主体部３に確実に装着固定される（図４，図５）。
【００６２】
また、基板カバー２０（図６）に設けられた係合部２９Ｐが、インナカバー８０に設けられた係止部８９Ｐに係り合わせられることで、基板カバー２０がインナカバー８０に装着固定される。
【００６３】
基板カバー２０の溝２６（図５）に電子回路板３０の基板部３１が装着され、小型カバー１０が基板カバー２０に装着されることで、電子回路板３０は、基板カバー２０に固定される。また、小型カバー１０に設けられた係合部１９（図６）が、基板カバー２０に設けられた係止部２９に係り合わせられることで、小型カバー１０および電子回路板３０は、基板カバー２０に装着固定される。電気接続箱１の設計仕様などにより、例えば自動車部品組立メーカなどで、電子回路板３０および小型カバー１０が基板カバー２０に装着固定されてもよい。
【００６４】
組み上げられた電気接続箱１（図４）のインナカバー８０の各ブラケット８５Ａ，８５Ｂにより、電気接続箱１は、自動車（図示せず）に組み付けられる。また、電気接続箱１の各コネクタ３５，４５，６５，７５（図５，図６）に、ワイヤハーネス（図示せず）の相手側コネクタ（図示せず）が通電可能に接続される。不図示のワイヤハーネスは、電気接続箱１から不図示の自動車に装備される各電装品（図示せず）へと延設されている。不図示のワイヤハーネスは、不図示の自動車に張り巡らされている。電気接続箱１と、不図示の各電装品とは、不図示のワイヤハーネスにより通電可能に接続される。
【図面の簡単な説明】
【００６５】
【図１】カバーを示す斜視図である。
【図２】図１のＡ−Ａ断面図である。
【図３】電気接続箱主体部を示す平面図である。
【図４】本発明に係る電気接続箱におけるカバーのロック構造の一実施形態を示す平面図である。
【図５】図４のＢ−Ｂ断面図である。
【図６】電気接続箱を示す分解斜視図である。
【符号の説明】
【００６６】
１                    電気接続箱
３                    電気接続箱主体部
３ｍ，３ｎ            対辺側縁部
５０                  アウタカバー（カバー）
５１ｍ，５１ｎ        一方の対辺側縁部
５１ｐ，５１ｑ        他方の対辺側縁部
５３ａ，５３ｂ，５６  リブ
５７Ａ，５７Ｂ        係合部
５７ｋ                可撓性アーム部（アーム部）
５９Ｌｍ，５９Ｌｎ    ロック係合部（ロック部）
６５，７５            コネクタ
６７，７７            被係合部
６７ｎ，７７ｎ        穴部
８９Ｌ，１０９Ｌ      ロック係止部
【図１】
2005137118.tif 000003
【図２】
2005137118.tif 000004
【図３】
2005137118.tif 000005
【図４】
2005137118.tif 000006
【図５】
2005137118.tif 000007
【図６】
2005137118.tif 000008